(57)【要約】【課題】本発明は、撮像部で連写した画像を直ちにアニメーションにすることができ、自分で作成したアニメーション画像を容易に表示することができるカメラ付無線通信端末を提供することを目的とする。【解決手段】本発明のカメラ付無線通信端末は、記憶部７には、複数の画像ファイルをそれぞれ表示順序に関連付けて構成したアニメーションファイルを格納できるアニメーションホルダ部７ｂが設けられ、所定のモードに設定されているときは、撮影管理手段１３が、撮像部１０の連写によって撮像された複数の画像ファイルをそれぞれ撮影順に表示順序と関連付けてアニメーションファイルとして格納し、アニメーションファイルを表示させる場合、アニメーション管理手段１５が、ホルダから画像ファイルに関連付けられた表示順序に従って、画像データを読み出して表示部９に表示させることを特徴とする。【選択図】　図１
2004032236.tif 000002
【特許請求の範囲】
【請求項１】
無線通信を行うとともに、撮像部を備えて該撮像部で撮影した画像を記憶部に格納し、この画像を表示部で表示することができるカメラ付無線通信端末であって、
前記記憶部には、複数の画像ファイルをそれぞれ表示順序に関連付けて構成したアニメーションファイルを格納できるアニメーションホルダ部が設けられ、
所定のモードに設定されているときは、撮影管理手段が、前記撮像部の連写によって撮像された複数の画像ファイルをそれぞれ撮影順に前記表示順序と関連付けてアニメーションファイルとして格納し、
アニメーションファイルを表示させる場合、アニメーション管理手段が、前記ホルダから前記画像ファイルに関連付けられた表示順序に従って、画像データを読み出して前記表示部に表示させることを特徴とするカメラ付無線通信端末。
【請求項２】
前記記憶部には画像データ部が設けられ、前記所定のモードでない場合は、撮影管理手段が撮影された画像データを表示順序の関連付けを行わずに前記画像データ部に格納することを特徴とする請求項１記載のカメラ付無線通信端末。
【請求項３】
前記アニメーション管理手段が、前記画像データ部に格納された画像ファイルの中から利用者の操作により指定された所定の画像ファイルを前記ホルダに利用者の操作により指定された表示順序で関連付けて格納し、アニメーションファイルを表示させる場合、該ホルダから前記表示順序に従い画像ファイルを読み出して前記表示部に表示させることを特徴とする請求項２記載のカメラ付無線通信端末。
【請求項４】
前記アニメーション管理手段が前記記憶部に記憶された画像のサムネイル画像を作成し、前記表示部に該サムネイル画像及び該表示順序の一覧表示を行って、利用者の入力操作により所定の画像と表示順を変更することを特徴とする請求項３記載のカメラ付無線通信端末。
【請求項５】
請求項１〜４のいずれかに記載のカメラ付無線通信端末が折畳型携帯電話装置であって、折り畳み状態から開かれるのを開閉手段が検出すると、前記アニメーション管理手段が前記ホルダから画像データに関連付けされた表示順序に従って画像データを読み出して前記表示部に表示させることを特徴とするカメラ付無線通信端末。
【請求項６】
通信管理部が着信を検出すると、前記アニメーション管理手段に起動をかけて前記ホルダから画像データに関連付けされた表示順序に従って画像データを読み出して前記表示部に表示させることを特徴とする請求項１〜５のいずれかに記載のカメラ付無線通信端末。
【請求項７】
電子メールを送受信するメール管理手段を備え、前記メール管理手段が電子メールを受信すると前記アニメーション管理手段に起動をかけて前記ホルダから順に画像データを読み出して前記表示部に表示させることを特徴とする請求項１〜６のいずれかに記載のカメラ付無線通信端末。
【請求項８】
前記ホルダに格納する画像ファイルを送信するための電子メールを作成するメール作成手段が設けられたことを特徴とする請求項１〜７のいずれかに記載のカメラ付無線通信端末。
【請求項９】
受信した電子メールに添付された画像ファイルを分離する分離手段を備え、アニメーション管理手段が分離された画像ファイルを前記ホルダに格納することを特徴とする請求項７または８に記載のカメラ付無線通信端末。
【発明の詳細な説明】
【０００１】
【発明の属する技術分野】
本発明は、無線通信端末に関し、特に複数の画像ファイルを所定の順序で表示することができるカメラ付無線通信端末に関する。
【０００２】
【従来の技術】
近年、無線通信端末は急速に普及し、様々な機種やサービスが登場している。その中でもカメラ付無線通信端末は、画像を撮影し、撮影した画像をデータとして送信して、受信した画像を無線通信端末に表示するため、無線通信端末の新しい分野を切り開いたものとしてと注目されている。なお、ここでいう無線通信端末は、ＩＳＤＮ等のデジタル回線網を使って基地局間を結び、各基地局との間はデジタル方式で無線通信を行う携帯電話等の通信端末であり、当然簡易携帯電話であるＰＨＳを含むものである。
【０００３】
そこで、本出願人が提案した従来のカメラ付無線通信端末（特開平６−７０３１２号公報）について説明する。図５は従来のカメラ付無線通信端末の構成図である。図５において、従来のカメラ付無線通信端末の動作を説明する。携帯無線電話装置で画像を撮影し、撮影した画像を送信したいときは、まず携帯無線電話装置の電源を投入し、操作部１０４から画像の撮影を制御部１０８に指示するボタンを押す。すると制御部１０８の指示により電子撮影部１１５は撮影を行い、撮影した画像をデータに変換してデータ記憶部１１６に出力する。この動作が完了すると、データ記憶部１１６において画像がデータとして保持される。次に操作部１０４から撮影した画像を送りたい相手の電話番号を入力後、通話ボタンを押す。制御部１０８は無線部１０１を介し、電話番号情報を含む制御信号を基地局に送出する。以上の発呼動作が完了し、発呼した相手側でオフフックが行われると通話状態となる。
【０００４】
この通話状態時に、操作部１０４から画像の送信を制御部１０８に指示するボタンを押す。すると制御部１０８の指示により、送信データ変換部１１７は、データ記憶部１１６から前記画像データを入力し、無線部１０１への入力信号に変換し、無線部１０１へ出力する。そして無線部１０１から前記画像信号を送信される。
【０００５】
しかし、この従来のカメラ付無線通信端末は、操作者がカメラ付無線通信端末を操作して、１枚１枚撮影して表示するか、このデータを送信して相手側で１枚１枚表示させるものであった。
【０００６】
そこで、アニメーション機能を有し、ダウンロードしたアニメーションファイルを表示できるアニメーション表示機能付携帯電話装置が提案された（特開２００１−１８６２２２号）。図６は従来のアニメーション表示機能付携帯電話装置の構成図である。図６において、２０１はアニメーション表示機能付携帯電話装置の無線部、２０２は相手先電話番号の入力や各種の設定を実行する操作部、２０３は制御部であり、制御部２０３はインターネットにアクセスして、アニメーションファイルをダウンロードする機能を有している。２０４は予めセットされたデフォルトのアニメーションファイルや静止画ファイルを格納する固定画像メモリ、２０５は外部の情報発信手段から取り込んだアニメーションファイルを一時的に格納する画像データメモリ、２０６は画像データメモリ２０５により一時的に格納されたアニメーションファイルを最終的に格納するアニメ画像メモリである。
【０００７】
２０７は画像データメモリ２０５に格納されたアニメーションファイルのファイル形式が所定のファイル形式と一致しない場合、これを所定のファイル形式に変更し、あるいはデータサイズが画面サイズより大きい場合に拡大・縮小してアニメ画像メモリ２０６に格納し、また音声着信，メール着信等の動作を検知すると、アニメ画像メモリ２０６に格納したアニメーションファイルを解析する画像処理部、２０８は画像処理部２０７の解析結果にしたがって、アニメーションを表示部２０９に表示する表示制御部である。２０９はアニメーションを表示する表示部（ディスプレイ）、２１０は音声制御部、２１１はスピーカ、２１２はマイクである。
【０００８】
このように従来のアニメーション表示機能付携帯電話装置の固定画像メモリ２０４には、アニメーションファイルや静止画ファイルが格納できるので、ユーザはアニメーションを表示させることができるし、さらにインターネットなどから所望のアニメーションファイルをダウンロードすることができるものである。
【０００９】
【発明が解決しようとする課題】
以上説明したように従来のカメラ付無線通信端末は、操作者がカメラ付無線通信端末を操作して、１枚１枚撮影して表示するか、このデータを送信して相手側で１枚１枚表示させるものであった。従って、連続表示するアニメーション機能はなく、連写した画像を複数枚関連付けてアニメーション表示し、動画とは言えないまでも動きを伴った表示を行えなかった。また、このようなアニメーション表示できる画像データを送信し、これを受信したカメラ付無線通信端末等で表示できるものではなかった。
【００１０】
また、従来のアニメーション表示機能付携帯電話装置は、デフォルトでセットされているアニメーションファイルや静止画ファイルや、インターネット等からダウンロードしたアニメーションファイルを表示部２０９で表示することはできるが、アニメーション表示機能付携帯電話装置自身がアニメーションファイルを作成し、またそれを送信できるものではなかった。
【００１１】
そこで本発明は、撮像部で連写した画像を直ちにアニメーションにすることができ、自分で作成したアニメーション画像を容易に表示することができるカメラ付無線通信端末を提供することを目的とする。
【００１２】
【課題を解決するための手段】
以上説明した問題を解決するために本発明のカメラ付無線通信端末は、記憶部には、複数の画像ファイルをそれぞれ表示順序に関連付けて構成したアニメーションファイルを格納できるアニメーションホルダ部が設けられ、所定のモードに設定されているときは、撮影管理手段が、撮像部の連写によって撮像された複数の画像ファイルをそれぞれ撮影順に表示順序と関連付けてアニメーションファイルとして格納し、アニメーションファイルを表示させる場合、アニメーション管理手段が、ホルダから画像ファイルに関連付けられた表示順序に従って、画像データを読み出して表示部に表示させることを特徴とする。
【００１３】
これにより、撮像部で連写した画像を直ちにアニメーションにすることができ、自分で作成したアニメーション画像を容易に表示することができる。
【００１４】
【発明の実施の形態】
本発明の請求項１に記載された発明は、無線通信を行うとともに、撮像部を備えて該撮像部で撮影した画像を記憶部に格納し、この画像を表示部で表示することができるカメラ付無線通信端末であって、記憶部には、複数の画像ファイルをそれぞれ表示順序に関連付けて構成したアニメーションファイルを格納できるアニメーションホルダ部が設けられ、所定のモードに設定されているときは、撮影管理手段が、撮像部の連写によって撮像された複数の画像ファイルをそれぞれ撮影順に表示順序と関連付けてアニメーションファイルとして格納し、アニメーションファイルを表示させる場合、アニメーション管理手段が、ホルダから画像ファイルに関連付けられた表示順序に従って、画像データを読み出して表示部に表示させることを特徴とするカメラ付無線通信端末であり、アニメーションを作成するときには連写した画像をホルダに撮影順に直接格納することができ、アニメーションの表示をするとき、ホルダから表示順に画像データを読み出して表示部に表示させるため、撮像部で連写した画像を直ちにアニメーションにすることができ、自分で作成したアニメーション画像を容易に表示することができる。
【００１５】
本発明の請求項２に記載された発明は、記憶部には画像データ部が設けられ、所定のモードでない場合は、撮影管理手段が撮影された画像データを表示順序の関連付けを行わずに画像データ部に格納することを特徴とする請求項１記載のカメラ付無線通信端末であり、アニメーションを作成しないときには撮影した画像を通常の画像データとして格納し、表示等をして利用することができる。
【００１６】
本発明の請求項３に記載された発明は、アニメーション管理手段が、画像データ部に格納された画像ファイルの中から利用者の操作により指定された所定の画像ファイルをホルダに利用者の操作により指定された表示順序で関連付けて格納し、アニメーションファイルを表示させる場合、該ホルダから表示順序に従い画像ファイルを読み出して表示部に表示させることを特徴とする請求項２記載のカメラ付無線通信端末であり、アニメーションを作成するつもりはなかった画像を画像データ部の中から指定することができ、これをホルダに移すことができるので、連写以外の画像も容易にアニメーションにすることができる。
【００１７】
本発明の請求項４に記載された発明は、アニメーション管理手段が記憶部に記憶された画像のサムネイル画像を作成し、表示部に該サムネイル画像及び該表示順序の一覧表示を行って、利用者の入力操作により所定の画像と表示順を変更することを特徴とする請求項３記載のカメラ付無線通信端末であり、アニメーションを作成していない画像を画像データ部の中から指定するとき、サムネイル画像の一覧にするため容易に指定してホルダに移すことができ、アニメーションにすることが容易に行える。
【００１８】
本発明の請求項５に記載された発明は、請求項１〜４のいずれかに記載のカメラ付無線通信端末が折畳型携帯電話装置であって、折り畳み状態から開かれるのを開閉手段が検出すると、アニメーション管理手段がホルダから画像データに関連付けされた表示順序に従って画像データを読み出して表示部に表示させることを特徴とするカメラ付無線通信端末であり、折畳型携帯電話装置を開いたときにアニメーションの表示が行え、快適に操作を行うことができる。
【００１９】
本発明の請求項６に記載された発明は、通信管理部が着信を検出すると、アニメーション管理手段に起動をかけてホルダから画像データに関連付けされた表示順序に従って画像データを読み出して表示部に表示させることを特徴とする請求項１〜５のいずれかに記載のカメラ付無線通信端末であり、着呼したときアニメーションの表示が行われるので、発呼者と関係付けられたアニメーションのような場合、直ちに相手が分かり、通信端末装置の利便性が向上する。
【００２０】
本発明の請求項７に記載された発明は、電子メールを送受信するメール管理手段を備え、メール管理手段が電子メールを受信するとアニメーション管理手段に起動をかけてホルダから順に画像データを読み出して表示部に表示させることを特徴とする請求項１〜６のいずれかに記載のカメラ付無線通信端末であり、メールを受信したときアニメーションの表示が行われるので、発信者と関係付けられたアニメーションの場合、直ちに相手が分かり、通信端末装置の利便性が向上する。
【００２１】
本発明の請求項８に記載された発明は、ホルダに格納する画像ファイルを送信するための電子メールを作成するメール作成手段が設けられたことを特徴とする請求項１〜７のいずれかに記載のカメラ付無線通信端末であり、ダウンロードできるアニメーションの数が限られているとき、カメラ付無線通信端末で作成したアニメーションを他の端末に送信できる。
【００２２】
本発明の請求項９に記載された発明は、受信した電子メールに添付された画像ファイルを分離する分離手段を備え、アニメーション管理手段が分離された画像ファイルをホルダに格納することを特徴とする請求項７または８に記載のカメラ付無線通信端末であり、ダウンロードできるアニメーションの数が限られているとき、カメラ付無線通信端末で作成したアニメーションを受信し、送られたアニメーションを自分のアニメーションとして利用できる。
【００２３】
（実施の形態１）
本発明の実施の形態１のカメラ付無線通信端末について説明する。実施の形態１のカメラ付無線通信端末は、回線を接続せずに、あるいは接続する前に画像を閲覧するものである。図１は本発明の実施の形態１におけるカメラ付無線通信端末の構成図である。図１において、１は無線送受信部、２は通信制御部、３は音声処理部である。無線送受信部１は周波数変換部とモデムとから構成されている（図示しない）。周波数変換部の受信部は、アンテナで受信した信号を所定周波数の局部発振信号と混合することにより、中間周波信号（ＩＦ信号）に周波数変換する。また、周波数変換部の送信部は、後述するモデムから供給される変調波を所定周波数の局部発振信号と混合することにより周波数変換し、アンテナから輻射する。またモデムの受信部は、周波数変換部から出力されたＩＦ信号を復調し、通信制御部２へ送出する。また、モデムの送信部では、通信制御部２から供給されるデータを変調して、無線送受信部１の周波数変換部へ送出する。
【００２４】
次に、通信制御部２は、フレーム同期とスロットのデータフォーマット処理を行う。通信制御部２の受信側は、無線送受信部１のモデムから供給される受信データから所定のタイミングで１スロット分のデータを取り出し、このデータの中から同期信号を抽出してフレーム同期信号を生成し、スクランブル等を解除した後、制御データを後述の制御部６へ送出し、音声データを音声処理部３へ送出する。また、通信制御部２の送信側は、音声処理部３から供給される音声データに制御データ等を付加するとともに、スクランブル等を付与した後に同期信号を付加して、１スロット分の送信データを作成し、所定タイミングでフレーム内の所定スロットに挿入して無線送受信部１のモデムに送出する。
【００２５】
次に、音声処理部３は、受信側では通信制御部２から供給される音声信号を復号化することにより伸張し、Ｄ／Ａ変換によりアナログ音声信号へ変換してスピーカ４から出力する。音声処理部３の送信側では、マイク５から入力されたアナログ音声信号をＡ／Ｄ変換によりデータ信号に変換し、符号化することにより圧縮して通信制御部２へ送出する。
【００２６】
次に、６は制御部、７は記憶部、７ａは記憶部７内に設けられたプログラム格納部、７ｂは同じく記憶部７内に設けられたアニメーションホルダ部、７ｃは画像データ部、７ｄは撮像部設定データ部、７ｅはアニメーション設定部、７ｆは電話帳や発呼者番号等の通信データを収めた通信データ部、７ｇは着信メロディやその他の音源情報を収めた音源情報部、８はキー入力部、９は液晶ディスプレー等を動作させる表示部である。アニメーションホルダ部７ｂは、アニメーションごとに対応してディレクトリ（後記するアニメーション単位ディレクトリ７ｂ１）が設けられ、各ディレクトリには画像を表示するときの順序で画像データを格納する複数のホルダ（後記するホルダ７ｂ２）が設けられている。従ってアニメーションを作成するモードのときには、後述する撮影管理手段１３によって直接、もしくは入力画面からの選択で画像がアニメーションホルダ部７ｂに格納される。なお記憶部７に外部メモリを増設して、この外部メモリにアニメーションホルダ部７ｂ，画像データ部７ｃを設けることもできる。制御部６は、記憶部７のプログラム格納部７ａに格納されている制御プログラムを中央処理装置（ＣＰＵ）のメインメモリにロードして各機能を実現する機能実現手段として構成され、これにより各機能により装置全体を制御する。また、後述する通信管理部１１、撮影管理手段１３、アニメーション管理手段１５、ブラウザ手段１６、メール管理手段１７、メール作成手段１８、ファイル分離手段１９も同様に制御プログラムを中央処理装置（ＣＰＵ）にロードして各機能を実現する機能実現手段として構成されるものである。
【００２７】
キー入力部８は、相手先の電話番号を入力する数値キーやファンクションキー等からの入力を受け付け制御部６に伝える。また表示部９は、各種データやキー入力部８からの入力で後述する撮像部１０のＣＣＤカメラが撮影した画像等を表示したり、アニメーション管理手段１５が作成したアニメーションを表示できる液晶ディスプレーであり、さらにスイッチ等のオン／オフ等を示すＬＥＤ、及びこれらのドライバから構成されている。
【００２８】
１０は、カメラ付無線通信端末に設けられたＣＣＤカメラと、このＣＣＤカメラで撮影した画像信号をフォーマット変換して輝度（Ｙ）と色差信号（Ｃｂ，Ｃｒ）に変換する画像処理回路を備えた撮像部である。１１は特定の発信番号だけに接続する等の各種の設定をしたり、通話のための管理を行う通信管理部、１２は撮像部１０が連写する時間間隔やアニメーション表示の時間間隔を計測する計時手段である。
【００２９】
次に１３は、撮像部設定データ部７ｄにメモリされた設定値に基づいて撮像部１０を動作させ、ＣＣＤカメラを連写させる撮影管理手段である。実施の形態１の撮影管理手段１３は、連写して得られた画像データに対して、時刻を使った時刻指定ファイル名を付与してファイル管理する。そして、連写の際にアニメーション作成のモードを指定した場合は、撮影管理手段１３は連写した画像データをファイル単位でアニメーションホルダ部７ｂに格納する。このとき表示順に並んだホルダ７ｂ２に撮影した順序で格納される。このモード指定がない場合は、撮影した画像データを画像データ部７ｃに格納する。
【００３０】
１４は画像処理部であり、撮像部１０からの出力をＧＩＦ形式、ＪＰＥＧ形式等に圧縮したり、圧縮した画像データを伸長し、またフォーマットを別の形式に変換したり、さらに表示するときのサイズを拡大、縮小する。また後述するようにサムネイル画像の作成も行う。
【００３１】
１５は、アニメーションホルダ部７ｂにアニメーション単位でディレクトリ（アニメーション単位ディレクトリ７ｂ１）を作成し、アニメーション設定部７ｅでの設定（コマ数等）に従って複数のホルダ７ｂ２を作成して、ホルダ７ｂ２に格納された一連の画像データをアニメーションとして表示するアニメーション管理手段であり、１５ａはアニメーション表示するために一旦データをメモリするバッファ部である。例えば６コマの設定の場合、アニメーション管理手段１５はアニメーションホルダ部７ｂの６つのホルダ７ｂ２から各画像データを表示順に読み出し、画像処理を行って一旦バッファ部１５ａに送って表示部９で表示する。なお、バッファ部１５ａはメインメモリに余裕がない場合に有力であるが、必須のものではない。
【００３２】
また、アニメーションホルダ部７ｂは、ホルダ７ｂ２に画像データ自体を格納することのみならず、画像データの格納位置を示す情報のみを蓄積する構成としてもよく、この場合には、アニメーション管理手段１５は、アニメーションホルダ部７ｂの６つのホルダ７ｂ２から各画像データの格納位置を読み出して、その格納位置に格納している画像データを読み出し、画像処理を行って一旦バッファ部１５ａに送って表示部９で表示することになる。いわばアニメーションホルダ部７ｂが格納位置テーブルを構成し、これを利用してアニメーション表示するものである。以下、画像データをホルダ７ｂ２に格納することの内容には、画像データの格納位置情報をホルダ７ｂ２に格納することも含むものとし、ホルダ７ｂ２から画像データを読み出すことには、ホルダ７ｂ２から画像データの格納位置情報を読み出して、その格納位置情報に対応する画像データを間接的に読み出すことを含むものとする。
【００３３】
１６はインターネットとＨＴＴＰで接続してウェブページを閲覧するためのブラウザ手段である。「ｉモード」「ｅｚウェブ」等のホームページを閲覧することができる。１７は、カメラ付無線通信端末から基地局を介してＩＳＰのゲートウェイとの間にＰＰＰ接続し、ＳＭＴＰでインターネット上に電子メールを送受信するメール管理手段である。メール管理手段１７によって、静止画像やアニメーション表示のための画像データをメールすることが可能になる。１８は撮像部１０で撮影した画像やアニメーション画像のデータを所定のメールアドレス宛てに送信する電子メールを作成するメール作成手段、１９はメールに添付された画像データを分離するファイル分離手段である。
【００３４】
メール作成手段１８は、ＧＩＦ形式やＪＰＥＧ形式の画像ファイルをアニメーション指定し、添付ファイルにしてメールを作成する。このとき画像データはプロトコルＭＩＭＥに従ってＢａｓｅ６４でエンコードされてメールのデータ域にヘッダを付けて展開される。このメールを受信すると、ファイル分離手段１９がこの添付ファイルを切り出す。メール管理手段１７は切り出された画像データをデコードし、画像データ部７ｃまたはアニメーションホルダ部７ｂに格納する。なお、メールアドレスは予めカメラ付無線通信端末の通信データ部７ｆに記憶させてある。
【００３５】
続いて、実施の形態１のカメラ付無線通信端末におけるファイル管理について説明する。ここで、図２（ａ）は本発明の実施の形態１におけるカメラ付無線通信端末の記憶部のファイル管理状態構成図、図２（ｂ）は本発明の実施の形態１におけるカメラ付無線通信端末の記憶部の第２のファイル管理状態構成図、図３は本発明の実施の形態１におけるカメラ付無線通信端末で設定されたアニメーションホルダ部の構成図である。
【００３６】
図２において、７ｃ１〜７ｃ６，７ｂ（１）１〜７ｂ（１）６は、記憶先がアニメーションとの関係で分かれるとともに、画像データを時刻で特定する時刻指定ファイル名が付与された画像ファイルである。例えば図２に示す画像ファイル７ｃ１は、ファイル名が「２００２０５２１１３００．ｇｉｆ」であるが、これは「２００２年」「５月」「２１日」「１３時００分」に撮影したＧＩＦ形式の画像ファイルという意味が与えられている。同様に、画像ファイル７ｃ２はファイル名が「２００２０５２１１３１５．ｇｉｆ」であり、「２００２年」「５月」「２１日」「１３時１５分」に撮影したものである。これらは画像ファイル７ｃ６まで１５分間隔で画像データ部７ｃに格納されている。なお、これらの撮影は、アニメーションを作成する旨のモード指定がなされていない場合であり、１枚１枚の撮影が続いただけのもので関連性がなく、この場合１５分間隔で撮影したという点の意味は乏しい。
【００３７】
これに対し、画像ファイル７ｂ（１）１はファイル名が「２００２０５３００９００００．ｇｉｆ」であるが、これは「２００２年」「５月」「３０日」「９時００分００秒」に撮影したＧＩＦ形式の画像ファイルであり、画像ファイル７ｂ（１）６「２００２０５３００９０１１５．ｇｉｆ」に至るまで１５秒間隔で６枚連写されたものである。これらはアニメーションホルダ部７ｂのディレクトリ（１）のホルダ１〜６に格納される。これらのファイルには、アニメーション作成のモード指定がなされており、いずれもＧＩＦ形式で関係付けがされているものであり、これを連続表示するとアニメーションとなる。
【００３８】
このように撮影管理手段１３は撮影時刻を基にファイル名を付与してファイル管理し、アニメーション作成モードでないときには画像データ部７ｃに画像を格納し、アニメーション作成モードのときには連写した画像データをアニメーションホルダ部７ｂの６つのホルダ７ｂ２にファイル単位で撮影順に格納するものである。
【００３９】
なお、画像データの記憶先がアニメーションとの関係で分かれる構成にて説明を行ったが、結果的にアニメーション毎に画像データがその表示順序と関連付られて記憶できるように構成されるのであればその他の構成により実現することとしてもよい。例えば、全ての画像データを画像データ部に記憶するようにし、アニメーションファイル毎に、画像データ部に記憶した画像データ名とその表示順序と関連付けたデータを記憶するようにアニメーションホルダ部７ｂを構成するようにしてもよい。具体的には、図２（ｂ）のように連射により作成した各アニメーションファイル（アニメ１、アニメ２）毎に、表示順序（ホルダ名）と画像データの格納位置及び画像データ名とを関連付けて記憶し、アニメーション動作時には、図２（ｂ）のデータをアニメーションホルダ部７ｂから取り出し、動作させるファイル名、例えばアニメ１の表示順序１のものから順に設定された画像データを所定の記憶先から取り出し表示部９に表示するよう動作させる。
【００４０】
また、撮影管理手段１３は撮影時刻を基にファイル名を付与してファイル管理する構成としたが、必ずしも撮影時刻を基にする必要はなく、アニメーションファイルとしてその複数の画像データと表示順序が関連付けられるようにすれば、単にファイル名が重複しないように連番で自動的に付与する等、どのようなファイル名にしても構わない。
【００４１】
続いて図３に基づき、アニメーション表示のためのホルダについて説明する。図３において、７ｂ１はアニメーションごとに作成されたアニメーション単位ディレクトリ、７ｂ２はアニメーション単位ディレクトリ７ｂ１に設けられた表示順が設定されたホルダ、７ｂ３はホルダ７ｂ２内のファイル名である。例えば、図３のアニメーション単位ディレクトリ７ｂ１のディレクトリ（１）は、ホルダ１〜６の６個のホルダ７ｂ２から構成され、上述した「２００２０５３００９００００．ｇｉｆ」〜「２００２０５３００９０１１５．ｇｉｆ」がこの順序で格納されており、表示されるときにはこの順で読み出される。またディレクトリ（２）はホルダ１〜１０から構成され、１秒おきに撮影した「２００２０５３１１５００００．ｇｉｆ」〜「２００２０５３１１５０００９．ｇｉｆ」が同様に格納されている。１秒間隔で表示させると動画に近い表示となる。なお、ホルダ７ｂ２の数は、設定によって自由に変更することができる。また、表示間隔も１秒ではなく、０．５秒や２秒など設定により自由に変更することができる。
【００４２】
なお、アニメーション表示のためのホルダとしてディレクトリ構造により構成するものを説明したが、上述のデータの記憶先の場合と同様に、結果的にアニメーション毎に画像データがその表示順序と関連付られて記憶できるように構成されるのであればその他の構成により実現することとしてもよい。すなわち、全ての画像データは画像データ部７ｃに蓄積し、アニメーションファイル毎に画像データ部７ｃに記憶した画像データ名とその表示順序と関連付けた情報を記憶部７の所定のアドレスに蓄積し、アニメーション動作時には、そのアドレスの情報に従って画像データ部７ｃから画像データを取り出して動作する等でもよい。
【００４３】
ところで、以上説明したアニメーション作成を行う連写の場合は、撮影管理手段１３がアニメーション毎に画像データをその表示順序と関連付けるようにしている。しかし、アニメーションを自動的に作成するのではなく、マニュアルでアニメーションを作成することもできる。すなわち、入力画面でマニュアル作成の設定を選択すると、アニメーション管理手段１５はアニメーション単位ディレクトリ７ｂ１とホルダ７ｂ２を自動的に作成する。これと同時にアニメーションホルダ部７ｂと画像データ部７ｃ内の画像データを撮影順に読み出し、画像処理部１４で処理してサムネイル画像にし、これを表示部９の画像ファイル選択画面に一覧表示させる。アニメーションホルダ部７ｂ内の画像もサムネイル表示される。但しこれらのサムネイルはその旨が併せて表示される。ユーザはこのサムネイルの一覧からキー入力部８を使って画像ファイルを選択する。アニメーション管理手段１５はこの選択に従ってホルダ７ｂ２に画像ファイルを格納する。併せてどのような表示の仕方にするかもキー入力部８からの入力でアニメーション設定部７ｅに設定される。コマ数、表示時間間隔のほかに、表示を行うフレームの選択も行える。
【００４４】
なお、マニュアルでアニメーションを作成する際、アニメーション管理手段１５がアニメーション単位ディレクトリ７ｂ１とホルダ７ｂ２を自動的に作成する構成で説明したが、結果的にアニメーションファイル毎に画像データがその表示順序と関連付られて記憶できるような構成であればよい。例えば、マニュアルでのアニメーション作成時に、記憶部７の所定エリアを確保し、その記憶エリア内に画像データ部７ｃに記憶した画像データ名とその表示順序と関連付けた情報をアニメーションファイル名とともに蓄積するようにしてもよい。このようにすれば、ディレクトリを生成したり、画像データの格納位置をわざわざ変更したりする必要がない。
【００４５】
続いて、実施の形態１のカメラ付無線通信端末で連写を行ってアニメーション表示する処理について説明する。図４（ａ）は本発明の実施の形態１におけるカメラ付無線通信端末の画像を格納処理するフローチャート、図４（ｂ）は本発明の実施の形態１におけるカメラ付無線通信端末のアニメーション処理のフローチャートである。
【００４６】
まず、実施の形態１のカメラ付無線通信端末における画像を格納処理するフローチャートについて図４（ａ）に基づいて説明する。図４（ａ）において、カメラ付無線通信端末で撮影するときに、連写するか否かがチェックされる（ｓｔｅｐ１）。連写する場合には、１秒おきに６枚連写する等の連写のための設定が行われているか否かがチェックされ（ｓｔｅｐ２）、連写設定が行われていない場合は静止画像の単純な撮影であるとしてｓｔｅｐ４にすすむ。ｓｔｅｐ２において連射のため、連射間隔や連射枚数等の撮影データ設定が既に行われている場合、シャッタが押されるまで待ち（ｓｔｅｐ４）、設定が行われていない場合は利用者の操作により撮影データ設定を行って（ｓｔｅｐ３）、連写のための条件が設定されたところでシャッタが押されるのを待つ。シャッタが押された場合、アニメーション作成のモード指定が行われているか否かが確認される（ｓｔｅｐ５）。アニメーション作成のモードの場合には、画像データに上記した時刻指定ファイル名を付与してアニメーション単位ディレクトリ７ｂ１のホルダ７ｂ２に撮影順で格納し（ｓｔｅｐ６）、モード指定が行われていない場合には、時刻指定ファイル名を付与して画像データ部７ｃに格納する（ｓｔｅｐ７）。
【００４７】
次に、実施の形態１のカメラ付無線通信端末のアニメーション化処理のフローチャートについて説明する。図４（ｂ）において、アニメーションの設定画面を選択し、更に既に設定してあるアニメーションファイルを選択すると（ｓｔｅｐ１１）、選択されたアニメーションホルダ部７ｂに格納されている画像データのサムネイル画像及びその表示順序（ホルダ）が一覧表示され（ｓｔｅｐ１２）、サムネイル画像の一覧から画像ファイルを指定し、変更するホルダ番号（表示順番）を入力する（ｓｔｅｐ１３）。
【００４８】
また、画像データの変更要求ではなく、アニメーションファイルの新規作成の入力があった場合（ｓｔｅｐ１１）、画像データ部７ｃの画像データのサムネイル画像を表示するとともに、アニメーション単位ディレクトリ７ｂ１とホルダ７ｂ２を作成し（ｓｔｅｐ１４）、利用者のキー入力部８への操作により指定された画像データをこのホルダ７ｂ２に格納する（ｓｔｅｐ１５）。
【００４９】
続いてアニメーションの表示命令が入力されるのを待つ（ｓｔｅｐ１６）。この入力があった場合には、アニメーションホルダ部７ｂの全アニメーション単位ディレクトリ７ｂ１を一覧表示し（ｓｔｅｐ１７）、希望するアニメーションのディレクトリを選び（ｓｔｅｐ１８）、アニメーション表示を行って（ｓｔｅｐ１９）、終了する。
【００５０】
なお、アニメーションファイル毎に画像データがその表示順序と関連付られて記憶できるように構成するのであれば、ディレクトリ構成以外のその他の構成によりアニメーション設定をしてもよいことは既に説明した通りである。この場合には、アニメーション単位ディレクトリ７ｂ１の表示ではなく、アニメーションファイル名を利用者がキー入力部８を操作して選択することによりアニメーション表示が可能である。
【００５１】
以上はカメラ付無線通信端末がもつアニメーションの作成機能について説明したが、本実施の形態１のアニメーションは無線通信端末の各種動作と関連付けて表示されるものである。実施の形態１のカメラ付無線通信端末は折畳型携帯電話装置であって、折り畳んでいた端末を開くと、折り畳みの突き合わせ面に設けられた開閉検知スイッチがＯＮとなり、アニメーション管理手段１５がアニメーション管理テーブルの中で設定されたアニメーションを表示することができる。
【００５２】
また、電話が着信したときには、通信管理部１１がアニメーション管理手段１５に起動をかけ、着メロと同様にアニメーションで報知することができる。ところで、ＩＳＤＮ等のサブアドレスを使用した場合は発呼者番号が検出できるので、発呼者ごとに着信時に表示するアニメーションを変えることもできる。例えばサブアドレスから発呼者番号を抽出し、相手の顔等のアニメーションを表示する。この場合、予めアニメーション設定部７ｅに発呼者ごとにアニメーションファイルを設定しておく必要がある。同様に電子メールが着信したときには、メール管理手段１７がアニメーション管理手段１５に起動をかけ、着信音と同様にアニメーションで報知することができる。
【００５３】
そして本実施の形態１においては、アニメーション管理手段１５が作成した画像ファイル及びその表示順序等を含むアニメーションデータを電子メールで他の無線通信端末に送信することができる。すなわち、入力画面からアニメーションファイルの他端末への送信を入力すると、アニメーション管理手段１５は画像ファイル及びその表示順序等を含むアニメーションデータを生成し、メール作成手段１８に起動をかけ、ＧＩＦ形式やＪＰＥＧ形式のアニメーションの画像データを添付してメールを作成する。すなわち、プロトコルＭＩＭＥに従って画像データはＢａｓｅ６４でエンコードされ、電子メールのデータ域にヘッダを付与してセットされる。このメールを受信した他の無線通信端末が、ファイル分離手段１９とメール管理手段１７、アニメーション管理手段１５、バッファ部１５ａ、アニメーションホルダ部７ｂ、アニメーション設定部７ｅを備えていれば、このファイル分離手段１９がこの添付ファイルを切り出し、メール管理手段１７が切り出された画像データをデコードする。さらにアニメーションホルダ部７ｂに（必要であれば、画像データ部７ｃへも）にデータを格納し、アニメーション設定条件をアニメーション設定部７ｅにセットする。この一連の処理により、メールを受信した他の無線通信端末においてもアニメーション表示をすることが可能になる。なお、ブラウザ手段１６を使ってアニメーションデータを送ることもできる。
【００５４】
このように実施の形態１のカメラ付無線通信端末は、連写した画像をアニメーションとして容易に作成し、着メロに代わるアニメーションとしたり、端末を折り畳んだ状態から開いたとき表示することが可能になる。また、ユーザが作成したアニメーションを他の端末のユーザに送って表示させることができる。
【００５５】
【発明の効果】
本発明のカメラ付無線通信端末によれば、アニメーションごとに表示順に従って画像を格納できる複数のホルダを備えたアニメーションホルダ部が設けられ、撮影管理手段が画像データをホルダに撮影順に格納し、アニメーション管理手段が表示順に画像データを読み出して表示部に表示させるから、アニメーションを作成するときには連写した画像をホルダに撮影順に直接格納することができ、アニメーションの表示をするとき、ホルダから表示順に画像データを読み出して表示部に表示させるため、撮像部で連写した画像を直ちにアニメーションにすることができ、自分で作成したアニメーション画像を容易に表示することができる。そして、アニメーションを作成しないときには撮影した画像を通常の画像データとして格納し、表示等をして利用することができる。
【００５６】
アニメーションを作成するつもりはなかった画像を画像データ部の中から指定することができ、これをホルダに移すことができるので、連写以外の画像も容易にアニメーションにすることができる。アニメーションを作成していない画像を画像データ部の中から指定するとき、サムネイル画像の一覧にするため容易に指定してホルダに移すことができ、アニメーションにすることが容易に行える。
【００５７】
折畳型携帯電話装置の場合、これをを開いたときにアニメーションの表示が行え、快適に操作を行うことができる。また、着呼したときアニメーションの表示が行われるので、発呼者と関係付けられたアニメーションのような場合、直ちに相手が分かり、通信端末装置の利便性が向上する。同様に、メールを受信したときアニメーションの表示が行われるので、発信者と関係付けられたアニメーションの場合、直ちに相手が分かり、通信端末装置の利便性が向上する。
【００５８】
さらに、ホルダに格納する画像ファイルを送信するための電子メールを作成するメール作成手段が設けられたため、ダウンロードできるアニメーションの数が限られているとき、カメラ付無線通信端末で作成したアニメーションを他の端末に送信できる。カメラ付無線通信端末で作成したアニメーションを受信し、送られたアニメーションを自分のアニメーションとして利用できる。
【図面の簡単な説明】
【図１】本発明の実施の形態１におけるカメラ付無線通信端末の構成図
【図２】（ａ）本発明の実施の形態１におけるカメラ付無線通信端末の記憶部のファイル管理状態構成図
（ｂ）本発明の実施の形態１におけるカメラ付無線通信端末の記憶部の第２のファイル管理状態構成図
【図３】本発明の実施の形態１におけるカメラ付無線通信端末で設定されたアニメーションホルダ部の構成図
【図４】（ａ）本発明の実施の形態１におけるカメラ付無線通信端末の画像を格納処理するフローチャート
（ｂ）本発明の実施の形態１におけるカメラ付無線通信端末のアニメーション処理のフローチャート
【図５】従来のカメラ付無線通信端末の構成図
【図６】従来のアニメーション表示機能付携帯電話装置の構成図
【符号の説明】
１　無線送受信部
２　通信制御部
３　音声処理部
４　スピーカ
５　マイク
６　制御部
７　記憶部
７ａ　プログラム格納部
７ｂ　アニメーションホルダ部
７ｂ１　アニメーション単位ディレクトリ
７ｂ２　ホルダ
７ｂ３　ファイル名
７ｃ　画像データ部
７ｃ１〜７ｃ６，７ｃ７，７ｃ８　画像ファイル
７ｄ　撮像部設定データ部
７ｅ　アニメーション設定部
７ｆ　通信データ部
７ｇ　音源情報部
８　キー入力部
９　表示部
１０　撮像部
１１　通信管理部
１２　計時手段
１３　撮影管理手段
１４　画像処理部
１５　アニメーション管理手段
１５ａ　バッファ部
１５ａ１〜１５ａ６〜１５ａｎ　表示用フレーム
１６　ブラウザ手段
１７　メール管理手段
１８　メール作成手段
１９　ファイル分離手段
１０１　無線部
１０２　音声処理部
１０３　データ処理部
１０４，１１２　操作部
１０６，１１３　マイク部
１０７，１１４　スピーカー部
１０９　電話回線網インターフェイス部
１１０　音声処理部
１１５　電子撮影部
１１６　データ記憶部
２０１　無線部
２０２　操作部
２０３　制御部
２０４　固定画像メモリ
２０５　画像データメモリ
２０６　アニメ画像メモリ
２０７　画像処理部
２０８　表示制御部
２０９　表示部
２１０　音声制御部
２１１　スピーカ
２１２　マイク
【図１】
2004032236.tif 000003
【図２】
2004032236.tif 000004
【図３】
2004032236.tif 000005
【図４】
2004032236.tif 000006
【図５】
2004032236.tif 000007
【図６】
2004032236.tif 000008